【手続補正書】
【提出日】令和2年4月7日(2020.4.7)
【手続補正１】
【補正対象書類名】特許請求の範囲
【補正対象項目名】全文
【補正方法】変更
【補正の内容】
【特許請求の範囲】
【請求項１】
土壌作業機器用摩耗部材であって、
地面との関わりによって摩耗を被る外装面と、
前記摩耗部材を前記土壌作業機器に装着するための内装面と、
前記内装面及び前記外装面に開口している穴とを備え、前記穴が、対向壁を有し、各対向壁は互いに離れている保持具を有し、該保持具は、解放位置と保持位置を有する２つの別個の位置において、前記ロックを前記摩耗部材に固定できるようになっており、
前記保持具に対応する、前記摩耗部材に固定された前記ロックの解放位置では、前記内装面から外側で前記ロックを保持して前記土壌作業機器への前記摩耗部材の取付を容易にし、
前記保持具に対応する、前記摩耗部材に固定された前記ロックの保持位置では、前記摩耗部材を前記土壌作業機器へ固定するために前記解放位置から内側で前記ロックを保持する、
、摩耗部材。
【請求項２】
前記保持具が、前記対向壁のそれぞれに内突起及び外突起を含み、前記内突起が、前記外突起よりも前記内装面に近い、請求項１に記載の摩耗部材。
【請求項３】
前記内突起が、前記内装面から離間している、請求項２に記載の摩耗部材。
【請求項４】
一方の対向壁上の前記突起が、他方の対向壁上の前記突起と対称である、請求項２又は３に記載の摩耗部材。
【請求項５】
前記突起のそれぞれが、前記ロックの相補的な端壁に係合するための凸状湾曲構成を有する少なくとも一部を含む、請求項２〜４のいずれかに記載の摩耗部材。
【請求項６】
前記土壌作業機器の一部を受容するために、前記内装面とともに、後方に開口する空洞を画定する２つの離間した後方に延在する脚部を含む、請求項１〜５のいずれかに記載の摩耗部材。
【請求項７】
前記保持具は、前記穴内での前記ロックの向きにほぼ平行に対応して、前記ロックを前記解放位置及び保持位置に固定するようになっている、請求項１〜６のいずれかに記載の摩耗部材。
【請求項８】
土壌作業機器用摩耗部材であって、前記摩耗部材が前記土壌作業機器に取り付けられ得る解放位置において、また前記摩耗部材が前記土壌作業機器に固定され得る保持位置において、ヒンジ式ロックに係合し、それを保持するようになっている保持特徴を含む穴を備える、摩耗部材。
【請求項９】
前記穴が、対向壁を有し、前記保持特徴が、前記対向壁のそれぞれに１対の突起を含む、請求項８に記載の摩耗部材。
【請求項１０】
前記突起のそれぞれが、前記ロックの相補的な端壁に係合するための凸状湾曲構成を有する少なくとも一部を含む、請求項９に記載の摩耗部材。
【請求項１１】
前記保持位置が、前記解放位置よりも前記穴において深い、請求項８〜１０のいずれかに記載の摩耗部材。
【請求項１２】
土壌作業機器用摩耗組立体であって、
保持具構造をそれぞれが有する対向壁を有する開口を有する摩耗部材と、
前記開口において、ロックを保持するための前記対向壁に係合する前記ロックと、
を備え、
前記開口の解放位置では、前記摩耗部材が前記土壌作業機器に取り付けられることを可能にし、また前記開口の保持位置では、前記摩耗部材を前記土壌作業機器に固定することができ、
前記ロックが、前記ロックが前記対向壁に係合するロック状態と、前記ロックが前記解放位置から前記保持位置への再位置付けのために前記対向壁を係脱するロック解除状態との間で調整可能である、土壌作業機器用摩耗組立体。
【請求項１３】
前記保持具構造が、前記対応壁のそれぞれに一対の突起を含む、請求項１２に記載の摩耗組立体。
【請求項１４】
前記突起のそれぞれが、前記ロックの前記端壁に係合するための凸状湾曲構成を有する少なくとも一部を含む、請求項１３に記載の摩耗組立体。
【請求項１５】
前記ロックが、後退位置に折り畳まれて、前記保持具組立体を係脱し、伸長位置に広がって、前記開口内の前記保持具組立体に係合する、請求項１２〜１４のいずれかに記載の摩耗組立体。
【請求項１６】
前記解放位置が、前記開口内の外位置であり、前記保持位置が、前記開口内の内位置である、請求項１２〜１５のいずれかに記載の摩耗組立体。
【請求項１７】
前記ロックが、前記保持具組立体から係脱するための折り畳まれた後退位置と、前記保持具組立体に係合するための広がった伸長位置との間の枢軸を中心とした枢軸移動のために相互接続された一対の本体を含み、前記本体のそれぞれが、タブ及びスロットを有し、一方の前記本体の前記タブが、前記本体の分離を制限するように、他方の前記本体の前記スロットに受容されている、請求項１２〜１６のいずれかに記載の摩耗組立体。
【請求項１８】
前記ロックが、前記広がり位置から前記折り畳み位置への移動を防止するように、前記本体に嵌入され得るインサートを含む、請求項１７に記載の摩耗組立体。
【請求項１９】
前記本体のそれぞれが、前記インサートを受容するために、前記広がり位置において開口を集合的に画定するように整列するようなチャネルを含む、請求項１８に記載の摩耗組立体。
【請求項２０】
前記本体のそれぞれが、前記枢軸にほぼ直角に延在する内面を含み、前記チャネルのそれぞれが、前記内面のうちの１つに形成されている、請求項１９に記載の摩耗組立体。
【請求項２１】
前記インサートが、前記開口に螺入されている、請求項２０に記載の摩耗組立体。
【請求項２２】
摩耗部材を土壌作業機器に固定するための関節式ロックであって、本体が整列した状態の伸長配向と、前記本体が折り畳まれた状態の後退配向との間の枢軸移動のために相互接続された複数の前記本体を備え、前記伸長配向における前記ロックが、保持位置において前記摩耗部材に係合して、前記摩耗部材を前記それぞれの土壌作業機器に固定することができ、また前記折り畳み配向において、前記摩耗部材を係脱することができ、それぞれの前記本体が、スロット及びタブを有し、前記伸長配向では、それぞれの前記本体のタブが、前記本体の分離を制限するように、他方の本体の前記スロットに受容されている、関節式ロック。
【請求項２３】
インサートを含み、前記本体が、前記伸長配向において前記インサートを受容して、前記本体が、前記伸長配向の外に折り畳まれることを防止する、請求項２２に記載のロック。
【請求項２４】
前記本体が、前記本体が前記伸長配向にあるとき、前記本体間の継ぎ目に沿って通路を集合的に画定し、前記インサートが、前記通路に螺入されている、請求項２３に記載のロック。
【請求項２５】
それぞれの本体が、前記摩耗部材に係合するための陥凹部を有する端壁を含む、請求項２２〜２４のいずれかに記載のロック。
【請求項２６】
前記陥凹部のそれぞれが、前記摩耗部材の開口内の対向壁上の突起に係合して、前記ロックを前記摩耗部材に固定するための凹状湾曲形状を有する、請求項２５に記載のロック。
【請求項２７】
摩耗部材を土壌作業機器に固定するためのロックであって、伸長位置と後退位置との間の移動のために一緒に枢動可能に連結されたヒンジ式部材と、インサートとを備え、前記ヒンジ式部材が、前記ヒンジ式部材の枢軸に沿った前記部材の分離を制限するために、舌及び溝構成によって相互係止され、前記摩耗部材を前記土壌作業機器に固定するための伸長位置にあるとき、前記ヒンジ式部材の枢動移動が、前記インサートの取り付けによって防止される、ロック。
【請求項２８】
それぞれのヒンジ式部材が、舌及び溝を有し、それぞれの前記舌が、他方のヒンジ式部材上の前記溝に受容されている、請求項２７に記載のロック。
【請求項２９】
前記舌及び溝のそれぞれが、前記ヒンジ式部材が後退位置に枢動するとき、互いに対して滑動する湾曲端壁を含む、請求項２８に記載のロック。
【請求項３０】
前記インサートが、切頭円錐形であり、前記ヒンジ式部材が、前記ロック部材がそれを中心として動く前記枢軸に直交して延在する分割線に沿って合し、前記ロック部材のそれぞれが、前記分割線に沿って画定された切頭円錐形ボア部を含んで、前記ロック部材が前記伸長位置にあるとき、切頭円錐形ボアを集合的に画定し、前記切頭円錐形インサートが、前記２つの部材の互いに対する枢軸移動を防止するように、前記切頭円錐形ボアに受容されている、請求項２７〜２９のいずれかに記載のロック。
【請求項３１】
１つのボア部が、前記インサートとの前記ロック構成要素の３線係合をほぼ画定するように、前記受容されたインサートよりも小さい、請求項３０に記載のロック。
【請求項３２】
前記インサートには、ねじ山が付けられ、前記ボア部のうちの少なくとも１つが、前記インサートの前記ネジ山に係合するための形態を含む、請求項３０及び３１のいずれかに記載のロック。
【請求項３３】
前記ヒンジ式部材が、前記ロック部材がそれを中心として動く前記枢軸に直交して延在する分割線に沿って合し、前記ヒンジ式部材のうちの一方が前記分割線に沿う凹部を含み、前記ヒンジ式部材の他方が、前記陥凹部に受容される、前記分割線に沿うカラーを含み、前記カラーが、前記インサートを受容するための開口を含む、請求項２７〜３２のいずれかに記載のロック。
【請求項３４】
前記インサート及び前記開口が、互いに係合するようにそれぞれねじ山が付けられている、請求項３３に記載のロック。
【請求項３５】
前記陥凹部が、穴を含み、前記カラーが、前記陥凹部に受容されたピンを含む、請求項３３及び３４のいずれかに記載のロック。
【請求項３６】
開口を有するカラーを含み、前記ヒンジ式部材が、前記ロック部材がそれを中心として動く前記枢軸に直交して延在する分割線に沿って合し、それぞれの前記ヒンジ式部材が、前記カラーを受容する陥凹部と、前記陥凹部に隣接する少なくとも１つの軸受け面とを含み、前記インサートが、それぞれの前記ヒンジ式部材上の前記軸受け面に係合するように、前記カラーに受容されている、請求項２７〜２９のいずれかに記載のロック。
【請求項３７】
前記陥凹部が穴を含み、前記カラーが、前記陥凹部に受容されたピンを含む、請求項３６に記載のロック。
【請求項３８】
摩耗部材を土壌作業機器に固定するためのロックであって、内面をそれぞれが有するヒンジ式部材であって、伸長位置と後退位置との間の前記内面に沿った移動のために一緒に枢動可能に結合されている、ヒンジ式部材と、インサートとを備え、第１のヒンジ式部材が、前記内面内の陥凹部と、前記陥凹部に隣接する第１の軸受け面とを含み、第２のヒンジ式部材が、穴を有するカラーと、前記カラーに隣接する第２の軸受け面とを含み、前記カラーが、前記陥凹部に受容され、前記インサートが、前記穴に取り付けられ、前記軸受け面に係合して、前記ヒンジ式部材の枢軸移動を制限し、かつ前記摩耗部材を前記土壌作業機器に固定する、ロック。
【請求項３９】
前記インサート及び前記穴には、ねじ山が付けられ、前記インサートが取り付けられるとき、前記ねじ山が係合する状態である、請求項３８に記載のロック。
【請求項４０】
摩耗部材を土壌作業機器に固定するためのロックであって、
（ｉ）内面、前記内面内の陥凹部、及び前記陥凹部に隣接する軸受け面をそれぞれが有するヒンジ式部材であって、伸長位置と後退位置との間の前記内面に沿った移動のために一緒に枢動可能に結合されている、ヒンジ式部材と、
（ｉｉ）前記陥凹部に受容され、かつ穴を含むカラーと、
（ｉｉｉ）インサートと、を備え、前記インサートが、前記穴に取り付けられ、前記軸受け面に係合して、前記ヒンジ式部材の枢軸移動を制限し、かつ前記摩耗部材を前記土壌作業機器に固定する、ロック。
【請求項４１】
摩耗部材を土壌作業機器に固定する方法であって、
ロックが、前記摩耗部材の開口において、解放位置に固定されたロック配向にある状態で、前記摩耗部材を前記土工機器に取り付けることと、
前記開口を画定している壁から前記ロックを係脱して、前記ロックを前記解放位置から取り外すことと、
その後、前記解放位置とは異なる保持位置において、前記ロックを、前記開口を画定している前記壁と係合させて、前記摩耗部材を前記土壌作業機器に保持することと、
を含む、方法。
【請求項４２】
前記ロックの両端が、前記解放位置及び前記保持位置において前記開口を画定している前記壁内の突起に係合する陥凹部を含む、請求項４１に記載の方法。